(57)【要約】【課題】撮像素子に付着したゴミの位置を検出するための撮影を行なう際に用いるキャップを提供する。【解決手段】  撮影レンズに装着されるレンズキャップ６であって、前記撮影レンズに対向する面に設けられた光源６１と、前記光源６１に対して電力を供給する電力供給部６４とを備える。【選択図】  図３
2009016995.tif 000002
【特許請求の範囲】
【請求項１】
撮影レンズに装着されるキャップであって、
前記撮影レンズに対向する面に設けられた光源と、
前記光源に対して電力を供給する電力供給部と、
を備えることを特徴とするキャップ。
【請求項２】
撮像装置のレンズマウント部に装着されるキャップであって、
撮影素子に対向する面に設けられた光源と、
前記光源に対して電力を供給するための電力供給部と、
を備えることを特徴とするキャップ。
【請求項３】
前記電力供給部は、前記撮像装置から供給された電力を前記光源に対して供給することを特徴とする請求項１又は請求項２記載のキャップ。
【請求項４】
前記電力供給部は、前記キャップに備えられた電源から供給された電力を前記光源に対して供給することを特徴とする請求項１又は請求項２記載のキャップ。
【請求項５】
前記光源に対して前記電源からの電力供給の開始を指示する指示部を更に備えることを特徴とする請求項４記載のキャップ。
【請求項６】
前記撮影レンズが取付けられている撮像装置との間で通信を行なう通信部を更に備えることを特徴とする請求項１記載のキャップ。
【請求項７】
前記通信部は、前記撮影レンズを介して前記撮像装置との間で通信を行なうことを特徴とする請求項６記載のキャップ。
【請求項８】
前記撮像装置との間で通信を行う通信部を更に備えることを特徴とする請求項２記載のキャップ。
【請求項９】
前記通信部は、前記撮像装置との間で直接通信を行なうことを特徴とする請求項６または請求項８記載のキャップ。
【請求項１０】
前記通信部を介して前記撮像装置から送信されるレリーズ信号を受信した時に、前記電力供給部は、前記光源に対して電力を供給することを特徴とする請求項６乃至請求項９の何れか一項に記載のキャップ。
【請求項１１】
請求項１乃至請求項５の何れか一項に記載のキャップと、
被写体光を撮像する撮像素子と、前記撮像素子から出力される撮像信号に基づく画像データを記憶する記憶部と、ゴミ情報取得モードを指定するモード指定部と、前記モード指定部においてゴミ情報取得モードが指定された場合に、キャップ情報を指定するキャップ情報指定部とを備える撮像装置と
を備えることを特徴とするカメラシステム。
【請求項１２】
請求項６乃至請求項１０の何れか一項に記載のキャップと、
被写体光を撮像する撮像素子と、前記撮像素子から出力される撮像信号に基づく画像データを記憶する記憶部と、ゴミ情報取得モードを指定するモード指定部と、前記モード指定部においてゴミ情報取得モードが指定された場合に、前記キャップからキャップ情報を受信するキャップ情報受信部と、前記キャップに対してレリーズ信号を送信する送信部とを備える撮像装置と
を備えることを特徴とするカメラシステム。
【請求項１３】
前記キャップ情報には、前記光源の発光量、光源の種類及び光源の配置位置の中の少なくとも１つの情報を含むことを特徴とする請求項１１または請求項１２記載のカメラシステム。
【請求項１４】
前記ゴミ情報取得モードが指定された場合に、前記記憶部に前記画像データと共に、該画像データがゴミ情報を含む画像データであることを、前記画像データのタグ領域に記憶することを特徴とする請求項１１乃至請求項１３記載の何れか一項に記載のカメラシステム。
【請求項１５】
被写体光を撮像する撮像素子と、前記撮像素子から出力される撮像信号に基づく画像データを記憶する記憶部と、を有する撮像装置であって、
ゴミ情報取得モードを指定するモード指定部と、
前記モード指定部においてゴミ情報取得モードが指定された場合に、撮影レンズ、又は撮像装置のレンズマウントに装着されているキャップに関するキャップ情報を指定するキャップ情報指定部と、を備えることを特徴とする撮像装置。
【請求項１６】
被写体光を撮像する撮像素子と、前記撮像素子から出力される撮像信号に基づく画像データを記憶する記憶部と、
ゴミ情報取得モードを指定するモード指定部と、
前記モード指定部においてゴミ情報取得モードが指定された場合に、撮影レンズ、又は撮像装置のレンズマウントに装着されているキャップに関するキャップ情報を受信するキャップ情報受信部と、
前記キャップに対してレリーズ信号を送信する送信部と
を備えることを特徴とする撮像装置。
【発明の詳細な説明】
【技術分野】
【０００１】
本発明は、撮影レンズまたはレンズマウントに装着されるキャップ、該キャップが装着される撮像装置、及び該キャップと該撮像装置とを備えるカメラシステムに関するものである。
【背景技術】
【０００２】
従来、デジタルカメラ等の撮像装置の撮像素子のカバーガラスの表面等に付着した塵やごみ等の異物の位置を検出する方法として様々な手法が提案されている。例えば、下記特許文献１には、カメラ本体内に互いに異なる方向から撮像素子を照明する複数のＬＥＤを設け、カメラ本体内への外光入射を遮断又は制限した状態で複数のＬＥＤにより撮像素子を順次照明し、各ＬＥＤにより照明を行なったときの撮像素子からの出力信号に基づいて、撮像素子又はその近傍に異物が付着しているか否か、及び、付着している異物の位置を判別するカメラシステムが開示されている。
【特許文献１】特開２００２−３００４４２号公報
【発明の開示】
【発明が解決しようとする課題】
【０００３】
ところで、カメラ本体内にゴミ位置検出のためのＬＥＤ等の光源を設置する場合、光源を設置するためのスペースを確保する必要があるが、近年の高画素化に伴う撮像素子の大型化によってこのようなスペースの確保が困難になってきている。また、このような光源を設置することによって、カメラの価格が割高になってしまうという問題がある。
【０００４】
本発明の課題は、撮像素子等に付着したゴミの位置を検出するための撮影を行なう際に用いるキャップ、該キャップを装着可能な撮像装置、及び該キャップと該撮像装置とを備えたカメラシステムを提供することである。
【課題を解決するための手段】
【０００５】
以下に理解を容易にするために、本発明の構成を一実施形態の符号を付して説明するが、本発明は、本実施形態の構成に限定されるものではない。
【０００６】
本発明のキャップは、撮影レンズ（４）に装着されるキャップ（６）であって、前記撮影レンズ（４）に対向する面に設けられた光源（６１）と、前記光源（６１）に対して電力を供給する電力供給部（６４）とを備えることを特徴とする。
【０００７】
また、本発明のキャップは、撮像装置（２）のレンズマウント部（ＬＭ）に装着されるキャップ（６）であって、撮影素子（２１）に対向する面に設けられた光源（６１）と、前記光源（６１）に対して電力を供給するための電力供給部（６４）とを備えることを特徴とする。
【０００８】
本発明のカメラシステムは、本発明のキャップ（６´）と、被写体光を撮像する撮像素子（２１）と、前記撮像素子（２１）から出力される撮像信号に基づく画像データを記憶する記憶部（２２）と、ゴミ情報取得モードを指定するモード指定部（３２）と、前記モード指定部（３２）においてゴミ情報取得モードが指定された場合に、キャップ情報を指定するキャップ情報指定部とを備える撮像装置（２）とを備えることを特徴とする。
【０００９】
また、本発明のカメラシステムは、本発明のキャップ（６）と、被写体光を撮像する撮像素子（２１）と、前記撮像素子（２１）から出力される撮像信号に基づく画像データを記憶する記憶部（２２）と、ゴミ情報取得モードを指定するモード指定部（３２）と、前記モード指定部（３２）においてゴミ情報取得モードが指定された場合に、前記キャップ（６）からキャップ情報を受信するキャップ情報受信部（２９）と、前記キャップ（６）に対してレリーズ信号を送信する送信部（２９）とを備える撮像装置（２）とを備えることを特徴とする。
【００１０】
また、本発明の撮像装置は、被写体光を撮像する撮像素子（２１）と、前記撮像素子（２１）から出力される撮像信号に基づく画像データを記憶する記憶部（２２）と、を有する撮像装置（２）であって、ゴミ情報取得モードを指定するモード指定部（３２）と、前記モード指定部（３２）においてゴミ情報取得モードが指定された場合に、撮影レンズ（４）、又は撮像装置（２）のレンズマウント（ＬＭ）に装着されているキャップ（６´）に関するキャップ情報を指定するキャップ情報指定部とを備えることを特徴とする。
【００１１】
また、本発明の撮像装置は、被写体光を撮像する撮像素子（２１）と、前記撮像素子（２１）から出力される撮像信号に基づく画像データを記憶する記憶部（２２）と、ゴミ情報取得モードを指定するモード指定部（３２）と、前記モード指定部（３２）においてゴミ情報取得モードが指定された場合に、撮影レンズ（４）、又は撮像装置（２）のレンズマウント（ＬＭ）に装着されているキャップ（６）に関するキャップ情報を受信するキャップ情報受信部（２９）と、前記キャップ（６）に対してレリーズ信号を送信する送信部（２９）とを備えることを特徴とする。
【発明の効果】
【００１２】
本発明のキャップによれば、光源を備えていることからカメラ本体内の撮像素子を照明することができるため、撮像素子上のゴミ位置情報を取得する際に必要な光源をカメラ本体内に備える必要がなく、カメラの価格が割高になることを防ぐことができる。また、本発明のキャップを用いることにより、どのような場所においても容易に撮像素子上のゴミ位置情報を取得することができる。
【００１３】
また、本発明のカメラシステムによれば、光源を備えたキャップを用いてゴミ位置情報の取得を行うことができるため、高精度でゴミの位置を特定することができる。即ち、白紙等を撮影して撮像素子上のゴミ位置情報を取得する場合、例えば、白紙上に陰影が形成されていると、ゴミ位置情報において該陰影が撮像素子に付着したゴミなのか否かを判別することが困難であるが、本発明のカメラシステムによれば、このような問題が生じる可能性が極めて低い。
【００１４】
また、本発明の撮像装置によれば、ゴミ情報取得モードが指定された場合に、撮影レンズ又は撮像装置のレンズマウントに装着されているキャップに関する情報を指定することができる。従って、指定されたキャップの情報に基づいて、ゴミ位置情報の取得に必要な条件で撮影を行なうことができ、的確なゴミ位置情報を得ることができる。
【００１５】
また、本発明の撮像装置によれば、ゴミ情報取得モードが指定された場合に、撮影レンズ又は撮像装置のレンズマウントに装着されているキャップに関するキャップ情報を受信し、キャップに対してレリーズ信号を送信することができる。従って、受信したキャップ情報に基づいて適切な撮影条件を設定することが可能であると共に、撮像タイミングに合わせてキャップの光源を発光させることができる。
【発明を実施するための最良の形態】
【００１６】
以下、図面を参照して本発明の第１の実施の形態に係るカメラシステムについて説明する。なお、第１の実施の形態に係るカメラシステムは、デジタルカメラ（撮像装置）本体、デジタルカメラ本体に装着される撮影レンズ及び撮影レンズに装着されるキャップにより構成されているが、撮影レンズは、デジタルカメラ本体に固定されているものでもよいし、交換式の撮影レンズでもよい。
【００１７】
図１は、第１の実施の形態に係るカメラシステムを構成するデジタルカメラ本体２のブロック構成図である。デジタルカメラ本体（以下、単に「カメラ」とする。）２には、ＣＰＵ２０が設けられており、ＣＰＵ２０には、撮影レンズ４を介した被写体光を撮像して撮像信号（蓄積電荷としてのアナログ信号）を生成するＣＣＤまたはＣＭＯＳ等により構成される撮像素子２１、撮像素子２１から出力された撮像信号を、図示しないＡ／Ｄ変換部においてＡ／Ｄ変換して画像データを生成し、この画像データを一時的に記憶する画像データ記憶部２２、カメラ２の背面に配置され画像データの表示を行なうＬＣＤにより構成される表示部２３、撮像素子２１から出力される撮像信号に基づく画像データに、ホワイトバランス調整、輪郭補償、ガンマ補正等の画像処理を行なう画像処理部２４、撮像された画像データを記憶するメモリカード２５、電源２８からの電力をＣＰＵ２０等に供給する電力供給回路２６、撮影レンズ４及びレンズキャップ６との間の通信を行なう通信部２９及び各種スイッチを備えた操作部３０が接続されている。
【００１８】
電力供給回路２６及び通信部２９は、撮影レンズ４に電源２８からの電力を供給すると共に、撮影レンズ４との間で通信を行なうためのコネクタ２７ａに接続されており、更にレンズキャップ６にカメラ２の電源２８からの電力を供給すると共に、レンズキャップ６との間で通信を行なうためのコネクタ２７ｂに接続されている。
【００１９】
また、操作部３０には、カメラ２の電源をオン・オフするための電源スイッチ３１、被写体を撮影する際の撮影モードや、撮像素子２１に付着した粉塵等のゴミ（異物）の位置を検出するためのモード（ゴミ位置情報取得モード）等を設定するモード設定ボタン３２及びレリーズスイッチ３３が設けられている。これらのスイッチやボタン等を操作すると、その操作に応じた信号がＣＰＵ２０に入力され、入力された信号に応じた制御が実行される。
【００２０】
図２は、第１の実施の形態に係る撮影レンズ４のブロック構成図である。図２に示すように、撮影レンズ４には、ＣＰＵ４０が設けられており、ＣＰＵ４０には、撮影レンズ４の光軸、瞳位置、絞り、径等のレンズ情報を記憶しているデータ記憶部４１、撮影レンズ４がカメラ２に装着された際に、カメラ２のコネクタ２７ａと接続されるコネクタ４３、コネクタ４３を介してＣＰＵ４０に対してカメラ２から供給された電力を供給する電力供給回路４２及びコネクタ４３を介してカメラ２との間の通信を行なう通信部４４が接続されている。なお、撮影レンズ４をカメラ２に装着することによって、カメラ２のコネクタ２７ａと撮影レンズ４のコネクタ４３とが接続されるため、カメラ２の電源がＯＮされると、撮影レンズ４に対する電力の供給が開始され通信が可能となる。
【００２１】
図３は、第１の実施の形態に係るレンズキャップ６のブロック構成図である。図３に示すように、レンズキャップ６には、ＣＰＵ６０が設けられており、ＣＰＵ６０には、ＬＥＤ等の光源６１、レンズキャップ６上における光源６１の配置位置、発光量及び光源の種類等のキャップ情報を記憶しているデータ記憶部６２、カメラ２のコネクタ２７ｂと接続されるコネクタ６５、コネクタ６５を介してカメラ２との間の通信を行なう通信部６３、コネクタ６５を介してＣＰＵ６０にカメラ２から供給された電力を供給する電力供給回路６４が接続されている。
【００２２】
図４は、第１の実施の形態に係るレンズキャップ６と撮影レンズ４の一例を示す図である。図４に示すように、レンズキャップ６の撮影レンズ４に対向する面の周縁部にはレンズキャップ６を撮影レンズ４に装着するための爪部６ａが設けられている。また、レンズキャップ６に対向する撮影レンズ４の先端部の周縁部には、レンズキャップ６の爪部６ａに対向する位置に爪部６ａが挿入される爪受部４ａが設けられている。
【００２３】
また、図４に示すように、レンズキャップ６の撮影レンズ４に対向する面には複数の光源６１が配置されている。ここで、図４においては、３つの光源６１のみが縦一列に直線状に図示されているが、実際には、中央に配置される光源の左右に１つづつの光源６１が更に設けられ、計５つの光源６１が十字状になるように配置されている。また、レンズキャップ６には、通信部６３及び電力供給回路６４に接続されているケーブル６ｂが設けられており、その先端部にコネクタ６５が設けられている。
【００２４】
ここで、レンズキャップ６を撮影レンズ４に装着する際には、レンズキャップ６のコネクタ６５とカメラ２のコネクタ２７ｂの接続を併せて行なうものとする。即ち、コネクタ２７ｂとケーブル６ｂの先端に設けられているコネクタ６５とを接続し、レンズキャップ６とカメラ２とをケーブル６ｂを介して接続する。コネクタ６５とコネクタ２７ｂとを接続することによって、カメラ２とレンズキャップ６とが接続されるため、カメラ２の電源がＯＮされると、レンズキャップ６に対する電力の供給が開始されると共に、カメラ２とレンズキャップ６との間で通信を行なうことが可能となる。
【００２５】
次に、図５のフローチャートを参照して、第１の実施の形態に係るカメラシステムにおける処理、即ち、カメラ２に撮影レンズ４が装着され、更に撮影レンズ４にレンズキャップ６が装着されると共に、レンズキャップ６とカメラ２とがコネクタ２７ｂ及びケーブル６ｂの先端に接続されたコネクタ６５を介して接続されている場合におけるカメラ２の動作について説明する。
【００２６】
まず、撮影者によりカメラ２の電源スイッチ３１が操作されることによってカメラ２の電源がＯＮされると（ステップＳ１０）、撮影レンズ４には、コネクタ４３及び電力供給回路４２を介して、レンズキャップ６には、コネクタ６５及び電力供給回路６４を介して、それぞれカメラ２が備える電源２８からの電力供給が開始され、撮影レンズ４とカメラ２との間、レンズキャップ６とカメラ２との間においてそれぞれ通信を行なうことが可能となる。
【００２７】
次に、撮影者がモード設定ボタン３２を操作することによりカメラ２のモードをゴミ位置情報取得モード（ゴミ情報取得モード）に設定すると（ステップＳ１１）、撮影レンズ４のレンズ情報を取得する（ステップＳ１２）。即ち、カメラ２の通信部２９と撮影レンズ４の通信部４４を介し、カメラ２と撮影レンズ４との間で通信を行なうことにより、撮影レンズ４のデータ記憶部４１に記憶されているレンズ情報を取得する。なお、取得されたレンズ情報は、図示しないデータ記憶部に記憶される。
【００２８】
次に、レンズキャップ６のキャップ情報を取得する（ステップＳ１３）。即ち、カメラ２の通信部２９とレンズキャップ６の通信部６３とを介し、カメラ２とレンズキャップ６との間で通信を行なうことにより、レンズキャップ６のデータ記憶部６２に記憶されているレンズ情報を取得する。なお、取得されたレンズ情報は、図示しないデータ記憶部に記憶される。
【００２９】
次に、撮影者がレリーズスイッチ３３をＯＮすると（ステップＳ１４）、カメラ２の通信部２９を介してレンズキャップ６にレリーズ信号を送信する（ステップＳ１５）。レンズキャップ６においては、通信部６３を介してレリーズ信号を受信することによって、ＣＰＵ６０による制御に基づいて光源６１に対する電力の供給が開始され光源６１が発光する。
【００３０】
撮影者によりレリーズスイッチ３３が操作されることによって（ステップＳ１５）、レンズキャップ６の光源６１が発光するのと同時に撮像素子２１による撮像が行なわれる（ステップＳ１６）。即ち、図示しないデータ記憶部に記憶されているレンズ情報及びキャップ情報を用いて決定された撮像条件に基づいて撮像素子２１による撮像が行なわれる。
【００３１】
次に、撮像素子２１により撮像された画像データをゴミ位置情報画像として記憶する（ステップＳ１７）。即ち、撮像素子２１により撮像が行なわれると、撮像素子２１から出力された撮像信号に基づいて画像データが生成され、この画像データのヘッタ部に、ゴミ位置情報画像（ゴミ情報を含む画像データ）である旨を示す情報が書き込まれ画像データ記憶部２２に記憶される。そして、この画像データは、画像データ記憶部２２から読み出されゴミ位置情報画像としてメモリーカード２５に記憶される。なお、ゴミ位置情報画像である旨を示す情報として、例えば、画像データのヘッタ部のＥＸＩＦタグに所定のフラグを立てることによって、他の画像データと識別可能な状態で記憶することができる。従って、撮影者は、記憶されているゴミ位置情報画像を用いて、被写体を撮影した原画像の画像データ、即ち、ＪＰＥＧ画像等の不可逆圧縮処理が施されていない画像データからゴミを除去する処理を容易に実行することができる。
【００３２】
本第１の実施の形態に係るキャップによれば、光源及び通信部を備え、カメラとの間で通信を行うことができるため、撮像素子上のゴミの位置を検出するための撮影を行なう際にキャップの光源を発光させることができる。従って、撮像素子上のゴミの位置を検出するための撮影を行なう際に用いる光源をカメラ本体に備える必要がなく、カメラ本体の価格が割高になることを防止することができる。
【００３３】
また、本第１の実施の形態に係るカメラシステムによれば、撮影レンズに光源を有するキャップを装着しキャップが備える光源を発光させて撮影を行っているため、白紙等を撮影してゴミ位置情報を取得する場合と異なり、被写体である白紙等に形成された陰影等に影響されることなく、高精度に撮影レンズや撮像素子上のゴミ位置を特定することができる。
【００３４】
なお、上述の第１の実施の形態に係るカメラシステムにおいては、カメラ２とレンズキャップ６との間で直接通信を行なっているが、撮影レンズ４を介してカメラ２とレンズキャップ６との間で通信を行なうようにしてもよい。即ち、レンズキャップ６と撮影レンズ４との間の通信、撮影レンズ４とカメラ２との間の通信をそれぞれ可能とすることにより、撮影レンズ４を経由してレンズキャップ６とカメラ２との間の通信を行うようにしてもよい。
【００３５】
また、カメラ２とレンズキャップ６とをコネクタ２７ｂ、６５を介して直接接続し、カメラ２からレンズキャップ６に対して直接電力を供給しているが、電力の供給も撮影レンズ４を介して行うようにしてもよい。即ち、撮影レンズ４において、レンズキャップ６に対して電力供給を行なうコネクタを備え、該コネクタを介して撮影レンズ４とレンズキャップ６とを接続し、カメラ２から撮影レンズ４に供給される電力を、更にレンズキャップ６に対して供給するようにしてもよい。
【００３６】
次に、図面を参照して、第２の実施の形態に係るカメラシステムについて説明する。なお、第２の実施の形態に係るカメラシステムを構成するカメラは、第１の実施の形態に係るカメラ２が備えるコネクタ２７ａ、２７ｂのうち、撮影レンズ４のコネクタ４３と接続されるコネクタ２７ａのみを備えている点を除き、同一の構成である。また、撮影レンズも、第１の実施の形態に係る撮影レンズ４と同一の撮影レンズを用いる。従って、カメラ２及び撮影レンズ４については、詳細な説明を省略し、以下の説明において第１の実施の形態と同一の符号を用いて説明を行なう。
【００３７】
図６は、第２の実施の形態に係るレンズキャップ６´のブロック構成図である。なお、第２の実施の形態に係るレンズキャップ６´については、第１の実施の形態のレンズキャップ６と同様の構成についての詳細な説明は省略し、異なる部分について説明を行なう。また、第１の実施の形態に係るレンズキャップ６と同一の構成には、第１の実施の形態で用いたのと同一の符号を用いて説明を行なう。
【００３８】
レンズキャップ６´は、電源６７及び電源６７からの電力をＣＰＵ６０に供給する電力供給回路６４を備え、更に電源６７からの電力供給を開始を指示するための指示部に相当する電源スイッチ（電源ＳＷ）６８を備えている。レンズキャップ６´においては、電源ＳＷ６８を操作することにより、光源６１を発光させることができる。
【００３９】
図７は、本発明の第２の実施の形態に係るカメラシステムを構成するカメラ２の動作について説明するためのフローチャートである。なお、第２の実施の形態に係るカメラ２においては、ゴミ位置情報取得の際に使用可能なキャップの種類が予め設定されているものとする。
【００４０】
まず、撮影者によりカメラ２の電源スイッチ３１が操作されることによってカメラ２の電源がＯＮにされ（ステップＳ２０）、撮影レンズ４に装着されているレンズキャップ６´のキャップ情報が入力される（ステップＳ２１）。例えば、図示しないメニューボタンを操作することにより表示部２３上で、撮影レンズ４に装着されているレンズキャップ６´を示す情報を選択することによってキャップ情報（光源６１の配置位置、発光量及び光源の種類等の情報）を入力する。なお、入力されたキャップ情報は、図示しないデータ記憶部に記憶される。
【００４１】
ここで、レンズキャップ６´は、光源６１に電源６７からの電力供給の開始を指示するための電源ＳＷ６８を備えているため、任意のタイミングで光源６１を発光させることができる。従って、カメラ２においてゴミ位置情報を取得するための撮像を行う前の所定のタイミングで、電源スイッチ６８を操作することにより、予め光源６１に対する電力供給を開始し、光源６１を発光させておく。
【００４２】
次に、撮影者がモード設定ボタン３２を操作することによりカメラ２のモードがゴミ位置情報取得モードに設定されると（ステップＳ２２）、カメラ２の通信部２９と撮影レンズ４の通信部４４を介してカメラ２と撮影レンズ４との間で通信を行い、撮影レンズ４のレンズ情報を取得する（ステップＳ２３）。なお、取得されたレンズ情報は、図示しないデータ記憶部に記憶される。
【００４３】
次に、撮影者によりカメラ２のレリーズスイッチ３３が操作されることによって、図示しないデータ記憶部に記憶されているレンズ情報及びキャップ情報を用いて決定された撮像条件に基づき撮像素子２１による撮像が行なわれ（ステップＳ２４）、撮像素子２１より出力された撮像信号に基づく画像データがゴミ位置情報画像としてメモリーカード２５に記憶される（ステップＳ２５）。なお、上述のステップＳ２４及びステップＳ２５における処理は、第１の実施の形態におけるステップＳ１６及びステップＳ１７における処理と同様の処理であるため詳細な説明を省略する。
【００４４】
本第２の実施の形態に係るキャップによれば、キャップが光源を備えているため、撮像素子や撮影レンズ上のゴミの位置を検出するための光源をカメラ本体に備える必要が無く、カメラ本体の価格が割高になることを防止することができる。また、キャップに通信機能を持たせる必要が無いためキャップのコストを低く抑えることができる。更に、キャップが光源を備えていることから、例えば、白紙がない等の場合であっても、容易にゴミ位置情報を取得するための画像データを得ることができる。
【００４５】
また、本第２の実施の形態に係るカメラシステムによれば、撮影レンズに光源を有するキャップを装着しキャップが備える光源を発光させて撮影を行っているため、白紙等を撮影してゴミ位置情報を取得する場合と異なり、被写体である白紙等に形成された陰影等に影響されることなく、高精度に撮影レンズや撮像素子上のゴミ位置を特定することができる。
【００４６】
なお、上述の第２の実施の形態に係るカメラシステムにおいては、撮影レンズに装着されているレンズキャップがどのようなレンズキャップであるかを示す情報（キャップ情報）をカメラに入力しているが、撮影レンズに装着されているレンズキャップがどのようなレンズキャップであるかをカメラ側（撮影レンズ側）で判別してカメラが取得するようにしてもよい。即ち、撮影レンズの爪受部（図４参照）において、挿入されるレンズキャップの爪部の形状によりレンズキャップの種類を識別し、装着されたレンズキャップを示す情報をカメラに通信部を介して送信するようにしてもよい。
【００４７】
なお、上述の実施の形態に係るカメラシステムにおいては、撮影レンズにレンズキャップを装着してゴミ位置情報を取得しているが、カメラのレンズマウントに装着されるマウントキャップを上記レンズキャップ（６又は６´）と同様な形態に構成しておき、このマウントキャップ（８０、８０´）を装着してゴミ位置情報を取得するようにしてもよい。即ち、図８に示すように、カメラ２に形成されているレンズマウントＬＭにマウントキャップを装着し、光源を発光させて撮像を行ない、撮像素子上のゴミ位置情報画像を取得するようにしてもよい。例えば、第１の実施の形態に係るレンズキャップ６と同様の形態のマウントキャップ８０をレンズマウントＬＭに装着した場合、撮影者がレリーズスイッチ３３をＯＮすることによって、マウントキャップ８０にレリーズ信号が送信され、光源６１を発光させると同時に撮像素子２１による撮像が行われ、ゴミ位置情報画像が取得される。また、第２の実施の形態に係るレンズキャップ６´と同様の形態のマウントキャップ８０´をレンズマウントＬＭに装着した場合、撮影者がマウントキャップ８０´の電源ＳＷ６８をＯＮして光源６１を発光させた後、レリーズスイッチ３３をＯＮすることによって、撮像素子２１による撮像が行なわれ、ゴミ位置情報画像が取得される。この場合には、撮影レンズを装着することなく、撮像素子上のゴミ位置情報を取得することができるため、例えば、製造ライン等において撮像素子上にゴミが付着しているか否か等の確認を容易に行うことができる。
【００４８】
また、上述の実施の形態にかかるキャップにおいては、ゴミ位置情報取得モードが設定された場合に、撮影レンズに対向する面に複数の光源を配置しているが、光源の配置及び配置する光源の数は任意に変更することができる。例えば、中央に１つの光源のみを配置したり、格子状に多数の光源を配置するようにしてもよい。
【００４９】
また、上述の実施の形態に係るカメラシステムにおいて、ゴミ位置情報取得モードが設定された場合に、撮影レンズとカメラとの間で通信を行なうことができず、レンズ情報を取得することができない場合、若しくは、キャップとカメラとの間で通信を行なうことができず、キャップ情報を取得することができない場合には、ゴミ位置情報画像を取得することができない旨の警告を表示するようにしてもよい。例えば、カメラの表示部に、「ゴミ位置情報を取得できません。」等の警告を表示するようにしてもよい。
【図面の簡単な説明】
【００５０】
【図１】第１の実施の形態に係るデジタルカメラのブロック構成図である。
【図２】第１の実施の形態に係る撮影レンズのブロック構成図である。
【図３】第１の実施の形態に係るレンズキャップのブロック構成図である。
【図４】第１の実施の形態に係るレンズキャップと撮影レンズの一例を示す図である。
【図５】第１の実施の形態に係るカメラシステムを構成するカメラの動作を説明するためのフローチャートである。
【図６】第２の実施の形態に係るレンズキャップのブロック構成図である。
【図７】第２の実施の形態に係るカメラシステムを構成するカメラの動作を説明するためのフローチャートである。
【図８】レンズマウントに本発明のマウントキャップを装着した場合の一例を示す図である。
【符号の説明】
【００５１】
２・・・デジタルカメラ、４・・・撮影レンズ、４ａ・・・爪受部、６、６´・・・レンズキャップ、６ａ・・・爪部、６ｂ・・・ケーブル、２０・・・ＣＰＵ、２１・・・撮像素子、２２・・・画像データ記憶部、２３・・・表示部、２４・・・画像処理部、２５・・・メモリーカード、２６・・・電力供給回路、２７ａ，２７ｂ・・・コネクタ、２８・・・電源、２９・・・通信部、３０・・・操作部、３１・・・電源スイッチ、３２・・・モード設定ボタン、３３・・・レリーズスイッチ、６０・・・ＣＰＵ、６１・・・光源、６２・・・データ記憶部、６３・・・通信部、６４・・・電力供給回路、６５・・・コネクタ、６７・・・電源、６８・・・電源ＳＷ、８０、８０´・・・マウントキャップ。
【図１】
2009016995.tif 000003
【図２】
2009016995.tif 000004
【図３】
2009016995.tif 000005
【図４】
2009016995.tif 000006
【図５】
2009016995.tif 000007
【図６】
2009016995.tif 000008
【図７】
2009016995.tif 000009
【図８】
2009016995.tif 000010